(57)【特許請求の範囲】
【請求項１】
観察者によって視認可能に画像を表示する表示部と、
前記表示部を保持する保持部材と、
シート状の熱伝導部材と、を備え、
前記表示部は、
前記画像を形成する画像形成装置と、
形成された前記画像を投射する投射光学装置と、
前記投射光学装置から投射された前記画像を前記観察者の眼に入射させる導光部材と、を備え、
前記保持部材は、
少なくとも一部が外部に露出され、前記導光部材を前記観察者の眼に応じた位置に保持するフレームと、
前記画像形成装置及び前記投射光学装置を内部に収納して、前記フレームの一部が内部に配置されるように、前記フレームと係合するカバー部材と、を備え、
前記熱伝導部材は、前記カバー部材内にて前記画像形成装置と前記フレームの一部とに熱伝導可能に接続され、前記画像形成装置の熱を前記フレームに伝導することを特徴とする画像表示装置。
【請求項２】
請求項１に記載の画像表示装置において、
前記画像形成装置は、
光源装置と、
前記光源装置から出射される光を変調する光変調装置と、を備え、
前記光源装置及び前記光変調装置は、一体化されていることを特徴とする画像表示装置。
【請求項３】
請求項１又は請求項２に記載の画像表示装置において、
前記熱伝導部材は、前記画像形成装置から出射された光の光路を遮らない位置に配置されていることを特徴とする画像表示装置。
【請求項４】
請求項１から請求項３のいずれか一項に記載の画像表示装置において、
前記観察者の頭部に沿う形状を有し、当該観察者の頭部に装着される装着部と、
前記装着部及び前記保持部材を接続する接続部と、を備え、
前記装着部は、前記保持部材から前記接続部を介して伝導される前記画像形成装置の熱を放熱する放熱部を有し、
前記放熱部は、前記装着部の前記観察者の頭部とは反対側に設けられていることを特徴とする画像表示装置。
【請求項５】
観察者によって視認可能に画像を表示する表示部と、
前記表示部を保持する保持部材と、
前記保持部材に接続され、前記観察者の頭部に沿う形状を有し、当該観察者の頭部に装着される装着部材と、
シート状の熱伝導部材と、を備え、
前記表示部は、
前記画像を形成する画像形成装置と、
形成された前記画像を投射する投射光学装置と、
前記投射光学装置から投射された前記画像を前記観察者の眼に入射させる導光部材と、を備え、
前記保持部材は、
少なくとも一部が外部に露出され、前記導光部材を前記観察者の眼に応じた位置に保持するフレームと、
前記画像形成装置及び前記投射光学装置を内部に収納して、前記フレームの一部が内部に配置されるように、前記フレームと係合するカバー部材と、を備え、
前記熱伝導部材は、前記カバー部材内にて前記画像形成装置と前記フレームの一部とに熱伝導可能に接続され、前記画像形成装置の熱を前記フレームに伝導することを特徴とする頭部装着型画像表示装置。
【発明の詳細な説明】
【技術分野】
【０００１】
本発明は、画像表示装置及び頭部装着型画像表示装置に関する。
【背景技術】
【０００２】
従来、画像を表示する画像表示装置として、観察者の頭部に装着されるＨＭＤ（Head Mounted Display）が知られている（例えば、特許文献１参照）。
この特許文献１に記載のＨＭＤは、観察者により虚像として視認可能に映像を表示する映像表示装置と、支持手段とを備える。これらのうち、支持手段は、眼鏡のフレームに相当するものであり、接眼光学系を観察者の眼前で支持する。
【０００３】
また、上記映像表示装置は、ＬＥＤ（Light Emitting Diode）からなる光源と、吸熱部材と、ＦＰＣ（Flexible Printed Circuits）と、これらを内包する筐体と、を有する。
これらのうち、光源は、ＦＰＣのランド部分に半田付けにより固定されている。また、吸熱部材は、半田によって当該ＦＰＣにおける光源の実装面とは反対側の面に固定されている。そして、吸熱部材には、シールド線が接続され、当該シールド線が筐体外に露出している。これにより、光源で発生した熱が吸熱部材に吸熱され、シールド線を介して筐体の外部に導かれ、当該熱が放熱される。すなわち、特許文献１に記載のＨＭＤでは、シールド線が熱伝導部材として用いられている。
【先行技術文献】
【特許文献】
【０００４】
【特許文献１】特開２００８−９９２２２号公報
【発明の概要】
【発明が解決しようとする課題】
【０００５】
しかしながら、上記特許文献１に記載のＨＭＤでは、シールド線が吸熱部材により吸熱された熱を筐体外に伝導する。このため、吸熱部材に対するシールド部材の接触面積が小さくなりやすいことから、当該シールド部材の熱伝導効率が低く、光源からの熱を効率よく放熱できないという問題がある。また、当該ＨＭＤの構成では、シールド線の応力によって光源や液晶パネルがずれる可能性があり、ひいては、光源及び液晶パネルにより形成されて投射される画像がずれるという問題がある。
【０００６】
本発明は、上記課題の少なくとも一部を解決することを目的としたものであり、画像形成装置からの熱を効率よく放熱でき、かつ、投射される画像のずれを抑制できる画像表示装置及び頭部装着型画像表示装置を提供することを目的の１つとする。
【課題を解決するための手段】
【０００７】
本発明の第１態様に係る画像表示装置は、観察者によって視認可能に画像を表示する表示部と、前記表示部を保持する保持部材と、シート状の熱伝導部材と、を備え、前記表示部は、前記画像を形成する画像形成装置と、形成された前記画像を投射する投射光学装置と、前記投射光学装置から投射された前記画像を前記観察者の眼に入射させる導光部材と、を備え、前記保持部材は、少なくとも一部が外部に露出され、前記導光部材を前記観察者の眼に応じた位置に保持するフレームと、前記画像形成装置及び前記投射光学装置を内部に収納して、前記フレームの一部が内部に配置されるように、前記フレームと係合するカバー部材と、を備え、前記熱伝導部材は、前記カバー部材内にて前記画像形成装置と前記フレームの一部とに熱伝導可能に接続され、前記画像形成装置の熱を前記フレームに伝導することを特徴とする。
【０００８】
なお、上記観察者によって視認可能な画像は、当該観察者によって直視可能な実像でもよく、虚像でもよい。
上記第１態様によれば、熱伝導部材がシート状に形成されているので、シールド線によって構成される熱伝導部材が採用される場合に比べて、画像形成装置及びフレームとの接触面積を大きくすることができ、当該画像形成装置からの熱をフレームに効率よく伝導できる。そして、画像形成装置の熱が伝導されたフレームは、一部が外部に露出しているので、伝導された熱を外部に露出した部分にて放熱できる。従って、画像形成装置を効果的に冷却できる。
また、シート状の熱伝導部材を採用することにより、シールド線によって構成される熱伝導部材が採用される場合に比べて、当該熱伝導部材の応力が画像形成装置に加わりづらくすることができる。従って、画像形成装置の位置がずれる可能性を低減でき、投射される画像がずれることを抑制できる。
【０００９】
上記第１態様では、前記表示部は、前記投射光学装置から出射された前記画像を前記観察者の眼に入射させる導光部材を備え、前記保持部材は、少なくとも一部が外部に露出され、前記導光部材を前記観察者の眼に応じた位置に保持するフレームを備え、前記熱伝導部材は、前記フレームと熱伝導可能に接続される。
なお、フレームが配置される場所としては、観察者の頭部（前額部及び側頭部に応じた位置）を例示できる。
ここで、導光部材を保持するフレームは、外部に露出しやすい他、観察者の眼に応じて配置される導光部材を保持することから、外表面の面積が比較的大きい部材である。
このため、上記第１態様によれば、熱伝導部材を介して伝導された画像形成装置の熱を外表面の面積が比較的大きいフレームから放熱させることができる。これにより、画像形成装置の熱を更に効率よく放熱できる。
【００１０】
上記第１態様では、前記保持部材は、前記画像形成装置及び前記投射光学装置を内部に収納して、前記フレームの一部が内部に配置されるように、前記フレームと係合するカバー部材を備え、前記熱伝導部材は、前記カバー部材内にて、前記画像形成装置と前記フレームの一部とに熱伝導可能に接続される。
上記第１態様によれば、カバー部材内にて、熱伝導部材により画像形成装置とフレームとが接続されるので、当該熱伝導部材が外部に露出することがない。これによれば、熱伝導部材と画像形成装置及びフレームとの接触状態を確実に維持できる。従って、画像形成装置からフレームへの熱伝導を確実に行うことができる。また、カバー部材内に位置する熱伝導部材の移動が抑制されるので、画像形成装置の位置ずれを確実に抑制できる。
【００１１】
上記第１態様では、前記画像形成装置は、光源装置と、前記光源装置から出射される光を変調する光変調装置と、を備え、前記光源装置及び前記光変調装置は、一体化されていることが好ましい。
上記第１態様によれば、光源装置と光変調装置とが一体化されているので、これらのいずれかに熱伝導部材が接続されていても、それぞれで発生した熱を、上記フレームに伝導できる。従って、光源装置及び光変調装置を効果的に冷却できる。
また、画像形成装置を構成する光源装置及び光変調装置が一体化されているので、光源装置及び光変調装置のいずれかに熱伝導部材が接続されている場合に比べ、当該熱伝導部材の接続先の重量を大きくすることができる。これによれば、仮に熱伝導部材の応力が画像形成装置に加わったとしても、画像形成装置の位置がずれる可能性を更に低減できる。これにより、画像形成装置から投射される画像がずれることを確実に抑制できる。
【００１２】
上記第１態様では、前記熱伝導部材は、前記画像形成装置から出射された光の光路を遮らない位置に配置されていることが好ましい。
なお、上記光の光路を遮らない位置としては、光源装置において光の出射側とは反対側の面や、光源装置及び光変調装置における当該光の進行方向に沿う側面を例示できる。
上記第１態様によれば、熱伝導部材が画像形成装置から出射された光の光路を遮らないことにより、形成される画像を確実に視認させることができる。この他、熱伝導部材を上記光の光路を遮らない位置の全面に接続できるので、画像形成装置と熱伝導部材との接触面積を拡大でき、これにより、画像形成装置の熱をより効率よくフレームに伝導できる。従って、フレームにおける外部に露出した部分から画像形成装置の熱をより効率よく放熱できる。
【００１３】
上記第１態様の関連技術では、前記表示部は、前記投射光学装置から出射された前記画像を前記観察者の眼に入射させる導光部材を備え、前記保持部材は、前記導光部材を前記観察者の眼に応じた位置に保持するフレームと、前記フレームと係合し、前記画像形成装置及び前記投射光学装置を内部に収納するカバー部材と、を備え、前記熱伝導部材は、前記カバー部材における前記観察者とは反対側の部位に接続される。
【００１４】
なお、フレームの配置位置としては、上記と同様に、観察者の頭部（前額部及び側頭部）に応じた位置を例示できる。また、カバー部材の配置位置としては、観察者の頭部（側頭部におけるこめかみの部位）に応じた位置を例示できる。
上記関連技術によれば、熱伝導部材は、画像形成装置及び投射光学装置を内部に収納するカバー部材において、観察者側とは反対側の部位に接続される。これによれば、当該熱伝導部材を介して、画像形成装置の熱を、カバー部材における観察者とは反対側の部位に伝導されることができる。従って、画像形成装置の熱が、カバー部材における観察者側の部位に伝導されて、観察者が当該熱を感じることを抑制できる。
【００１５】
上記関連技術では、前記カバー部材における前記観察者とは反対側の部位の熱伝導率は、前記観察者側の部位の熱伝導率より高いことが好ましい。
上記関連技術によれば、カバー部材において、熱伝導部材が接続される観察者とは反対側の部位の熱伝導率は、観察者側の部位の熱伝導率より高い。これによれば、当該観察者側の部位に接続されて、画像形成装置の熱が伝導される場合に比べ、当該熱を伝導させやすくすることができ、ひいては、当該熱を放出させやすくすることができる。従って、画像形成装置を効果的に冷却できる。
また、観察者側の部位の熱伝導率が低いことにより、観察者が画像形成装置の熱を一層感じにくくすることができる。
【００１６】
上記関連技術では、前記カバー部材における前記観察者とは反対側の部位の厚さ寸法は、前記観察者側の部位の厚さ寸法より小さいことが好ましい。
上記関連技術によれば、カバー部材において観察者側の部位の厚さ寸法が、観察者とは反対側の部位の厚さ寸法より大きいので、上記熱伝導率と同様に、観察者が画像形成装置の熱を一層感じにくくすることができる。
また、カバー部材において観察者とは反対側の部位の厚さ寸法が、観察者側の部位の厚さ寸法より小さいので、当該観察者とは反対側の部位の熱抵抗を小さくすることができる。これにより、熱伝導部材を介して画像形成装置からの熱を当該部位に伝導させやすくすることができ、ひいては、当該画像形成装置の熱を外部に放出させやすくすることができる。従って、画像形成装置をより効果的に冷却できる。
【００１７】
上記第１態様では、前記観察者の頭部に沿う形状を有し、当該観察者の頭部に装着される装着部と、前記装着部及び前記保持部材を接続する接続部と、を備え、前記装着部は、前記保持部材から前記接続部を介して伝導される前記画像形成装置の熱を放熱する放熱部を有し、前記放熱部は、前記装着部の前記観察者の頭部とは反対側に設けられていることが好ましい。
【００１８】
なお、装着部の装着部位としては、観察者の頭部における前額部、側頭部、後頭部、及び頭頂部を例示できる他、観察者がヘルメットや帽子等を装着している場合には、当該ヘルメットや帽子等において上記前額部、側頭部、後頭部、及び頭頂部に応じた位置を例示できる。すなわち、観察者の頭部（詳しくは、眉及び耳を通る頭部の外周線より上側の部位）に応じた位置に装着部が固定されればよく、頭部と装着部との間にヘルメットや帽子等の構成が介在していてもよい。このように、装着部は、観察者の額部から上側の部位に固定される。
上記第１態様によれば、画像形成装置の熱が保持部材から接続部を介して装着部に伝導され、当該装着部の観察者の頭部とは反対側に設けられた放熱部材から上記熱を放熱できる。これによれば、画像形成装置の熱が、装着部における観察者側の部位に伝導されて、観察者が当該熱を感じることを抑制できる。また、例えば、観察者がヘルメット等を装着している場合には、観察者が当該熱を感じることを確実に抑制できる。
【００１９】
本発明の第２態様に係る頭部装着型画像表示装置は、観察者によって視認可能に画像を表示する表示部と、前記表示部を保持する保持部材と、前記保持部材に接続され、前記観察者の頭部に沿う形状を有し、当該観察者の頭部に装着される装着部材と、シート状の熱伝導部材と、を備え、前記表示部は、前記画像を形成する画像形成装置と、形成された前記画像を投射する投射光学装置と、前記投射光学装置から投射された前記画像を前記観察者の眼に入射させる導光部材と、を備え、前記保持部材は、少なくとも一部が外部に露出され、前記導光部材を前記観察者の眼に応じた位置に保持するフレームと、前記画像形成装置及び前記投射光学装置を内部に収納して、前記フレームの一部が内部に配置されるように、前記フレームと係合するカバー部材と、を備え、前記熱伝導部材は、前記カバー部材内にて前記画像形成装置と前記フレームの一部とに熱伝導可能に接続され、前記画像形成装置の熱を前記フレームに伝導することを特徴とする。
なお、頭部装着型画像表示装置としては、ＨＭＤを例示できる。
上記第２態様によれば、上記第１態様に係る画像形成装置と同様の効果を奏することができる。
【図面の簡単な説明】
【００２０】
【図１】本発明の第１実施形態に係る虚像表示装置を示す斜視図。
【図２】上記実施形態における虚像表示装置を示す斜視図。
【図３】上記実施形態における虚像表示装置を示す斜視図。
【図４】上記実施形態における虚像表示装置の表示部を拡大して示す斜視図。
【図５】上記実施形態における虚像表示装置の表示部における光学装置の断面図。
【図６】本発明の第２実施形態における虚像表示装置の表示部における光学装置の断面図。
【図７】上記実施形態に係る虚像表示装置の表示部を拡大して示す斜視図。
【図８】本発明の第３実施形態に係る虚像表示装置を示す斜視図。
【図９】本発明の変形例に係る虚像表示装置を示す斜視図。
【発明を実施するための形態】
【００２１】
［第１実施形態］
以下、本発明の第１実施形態を、図面に基づいて説明する。
［虚像表示装置の概略構成］
図１は、本実施形態に係る虚像表示装置１が観察者ＵＳに装着された状態を示す斜視図である。
本実施形態に係る虚像表示装置１は、図１に示すように、観察者ＵＳの頭部やヘルメット等の装着部位（すなわち、頭部における前額部及び側頭部を結ぶ外周線以上の部位）に装着されて使用されるＨＭＤ（Head Mounted Display）である。この虚像表示装置１は、本発明の画像表示装置及び頭部装着型画像表示装置に相当し、観察者ＵＳによって視認可能に虚像を表示するとともに、外光を透過させて外界を観察可能とするシースルー型のＨＭＤである。
【００２２】
図２及び図３は、虚像表示装置１を正面側及び背面側から見た斜視図である。換言すると、図２は、虚像表示装置１を観察者ＵＳ側とは反対側から見た斜視図であり、図３は、観察者ＵＳ側から見た斜視図である。
この虚像表示装置１は、図１〜図３に示すように、上記装着部位に装着されるヘッドバンド部２と、画像を表示する表示部３と、ヘッドバンド部２に回動可能に取り付けられて、これらヘッドバンド部２及び表示部３を接続する一対のアーム部４と、を備える。
【００２３】
なお、以下の説明において、Ｚ方向は、虚像表示装置１を装着した観察者ＵＳが正面を向いた場合の視方向であり、Ｘ方向及びＹ方向は、当該Ｚ方向に直交し、かつ、互いに直交する方向である。これらのうち、Ｘ方向は、虚像表示装置１を装着した観察者ＵＳから見て左から右に向かう方向であり、Ｙ方向は、当該観察者ＵＳから見て下から上に向う方向である。更に、Ｚ方向側とは、Ｚ方向における下流側（Ｚ方向先端側）を指し、Ｚ方向とは反対側とは、Ｚ方向における上流側（Ｚ方向基端側）を指す。他の方向も同様である。
また、本実施形態では、ヘッドバンド部２は、観察者ＵＳの頭部に装着されるものとして説明する。すなわち、虚像表示装置１の装着部位は、本実施形態では観察者ＵＳの頭部であり、詳しくは、前額部及び側頭部を含む頭部の上部分である。しかしながら、上記のように、ヘッドバンド部２は、観察者ＵＳの頭部に装着されたヘルメットや帽子にも装着可能である。
【００２４】
［ヘッドバンド部の構成］
ヘッドバンド部２は、図２及び図３に示すように、外装を構成する外装ケース２１と、撮像部２２と、制御部２３と、装着部材２４と、回動軸部２５とを有する。このヘッドバンド部２は、本発明の装着部に相当する。
これらのうち、装着部材２４は、外装ケース２１に取り付けられるバンド２４１と、装着部位に当接される当接部材２４２と、バンド２４１に固定される帯部材２４３とを有する。
【００２５】
外装ケース２１は、図２及び図３に示すように、虚像表示装置１の装着部位に含まれる観察者ＵＳの前額部及び側頭部に沿って配置され、装着部材２４によって当該装着部位に固定される。この外装ケース２１は、上記制御部２３や当該制御部２３に接続されるケーブルＣＢ１，ＣＢ２等を内部に収納し、かつ、撮像部２２やアーム部４を支持する筐体である。
この外装ケース２１は、観察者ＵＳの前額部及び側頭部の形状に沿う略半円形状（略Ｕ字状）の外形を有する。すなわち、外装ケース２１において、観察者ＵＳの前額部及び側頭部に対向する内面２１１は、Ｙ方向側から見て、観察者ＵＳの頭部に沿って湾曲している。
このような外装ケース２１の円弧状の両端近傍には、それぞれのアーム部４の一端が回動軸部２５によって回動可能に支持されている。これにより、ヘッドバンド部２との接続部位を中心としてアーム部４が回動される。
【００２６】
撮像部２２は、図２に示すように、外装ケース２１において上記内面２１１とは反対側に位置する外面２１２のＸ方向における略中央に配置されており、観察者ＵＳの前方、すなわち、当該観察者ＵＳの視野における一部の領域を撮像する。この撮像部２２は、Ｘ方向に沿う回動軸を中心として外装ケース２１に対して回動可能に取り付けられ、撮像方向を変更可能に構成されている。
制御部２３は、図２に示すように、撮像部２２を制御するとともに、当該撮像部２２による撮像画像を、ケーブルＣＢ１を介して外部に出力する。また、制御部２３は、ケーブルＣＢ１を介して画像情報を受信し、ケーブルＣＢ２を介して表示部３に出力することにより、当該表示部３を制御する。
なお、ヘッドバンド部２は、図示を省略するが、虚像表示装置１に対する観察者ＵＳによる各種入力操作を受け付けるコントローラーが接続されており、当該コントローラーから、ケーブルＣＢ１を介して制御部２３に、操作情報及び画像情報が送信される。
【００２７】
［アーム部の構成］
一対のアーム部４は、図２及び図３に示したように、ヘッドバンド部２の外装ケース２１と、表示部３の各カバー部材３４とを接続するとともに、当該外装ケース２１に対して回動可能に支持されている。これらアーム部４は、本発明の接続部に相当し、表示部３において対応するカバー部材３４と接続されている。
なお、虚像表示装置１は、図示を省略するが、アーム部４と表示部３とを相対的に移動させて、表示部３をヘッドバンド部２に対して接離可能とする移動機構を備えている。この移動機構は、例えば、表示部３に設けられたガイドレールと、アーム部４に設けられ当該ガイドレールに係合するスライド部材とを備える。そして、ガイドレールに沿ってスライド部材を摺動させて、アーム部４に対して表示部３を移動させることにより、ヘッドバンド部２と表示部３との距離を調整できる。
【００２８】
［表示部の構成］
表示部３は、制御部２３から入力される画像情報に応じた画像を形成して、当該画像を虚像として観察者ＵＳに視認させる。この表示部３は、図２及び図３に示すように、観察者ＵＳにとっての右側及び左側に配置される一対の光学装置３１（左側及び右側光学装置を、それぞれ３１Ｌ，３１Ｒとする）と、一対の光学装置３１を保持する保持部材３２と、熱伝導部材５（図５参照）と、を備える。なお、左側光学装置３１Ｌと、右側光学装置３１Ｒとは、互いに鏡面対称の関係を有する。
【００２９】
図４は、保持部材３２を構成するカバー部材３４の一部を除き、光学装置３１の内部を示す図であり、図５は、光学装置３１をＹ方向に切断した断面をＸ方向側から見た断面図である。
一対の光学装置３１のそれぞれは、画像形成装置３１１（図４及び図５参照）と、投射レンズ３１２と、導光部材３１３（図３参照）と、を有する。
【００３０】
画像形成装置３１１は、光源装置３１１１と、光変調装置３１１２と、固定部材３１１３と、を有する。
光源装置３１１１は、ＬＥＤが実装された基板を有し、光学装置３１の構成において最もＺ方向とは反対側に配置される。
光変調装置３１１２は、光源装置３１１１に対してＺ方向側に配置され、当該光源装置３１１１から入射される光を変調して画像を形成する。この光変調装置３１１２は、本実施形態では透過型の液晶パネルにより構成される。
固定部材３１１３は、光源装置３１１１と光変調装置３１１２とを一体化する。この固定部材３１１３は、熱伝導性を有する金属により形成されている。このため、光変調装置３１１２の熱は、固定部材３１１３に伝導される。
【００３１】
投射レンズ３１２は、光変調装置３１１２に対するＺ方向側に配置され、当該光変調装置３１１２によって変調された光（画像光）を、導光部材３１３に投射する投射光学装置である。この投射レンズ３１２は、図示を省略するが、複数のレンズと、当該複数のレンズを収納する鏡筒とを有する。
【００３２】
導光部材３１３（右側及び左側の導光部材を、それぞれ３１３Ｒ，３１３Ｌとする）は、観察者ＵＳの眼に応じた位置に配置され、それぞれ対応する光学装置３１の投射レンズ３１２から投射された光が入射される。これら導光部材３１３は、内部に半透過層（半反射層）が形成されており、当該半透過層を介して外界を観察可能に構成されている他、上記投射レンズ３１２から入射されて当該半透過層にて内面反射された光（画像光）が眼に入射されることにより、当該光に応じた虚像が視認される。このような導光部材３１３は、可視光領域で高い光透過性を示す樹脂（例えばシクロオレフィンポリマー）により主に形成される。
【００３３】
保持部材３２は、上記一対の光学装置３１を保持し、上記アーム部４と接続される。この保持部材３２は、フレーム３３及びカバー部材３４を備える。
フレーム３３は、アルミダイカスト若しくはその他の各種金属によって、Ｙ方向側から見て略Ｕ字状に形成され、観察者ＵＳの頭部（前額部及び側頭部）に応じた位置に配置される。すなわち、フレーム３３は、熱伝導性を有する。このフレーム３３は、一対の導光部材３１３におけるＹ方向側の端部を保持して、各導光部材３１３を観察者ＵＳの眼に応じた位置に配置させる。
このようなフレーム３３は、導光部材３１３を保持する中央部３３１と、当該中央部３３１の両端から観察者側（Ｚ方向とは反対側）に延びる端部３３２（左側及び右側の端部を、３３２Ｌ，３３２Ｒとする）と、を有する。
【００３４】
中央部３３１におけるＹ方向側の面である上面３３１１は、外部に露出している他、当該上面３３１１には、凹凸が形成されている。具体的に、上面３３１１におけるＸ方向側及びＸ方向とは反対側の部位には、それぞれ凹部３３１２が形成されており、これにより、表面積が拡大されている。
端部３３２には、当該端部３３２の上面３３２１よりＹ方向とは反対側の位置からＺ方向とは反対側に更に突出する突出部３３３が設けられている。この突出部３３３は、カバー部材３４内に配置される。すなわち、各端部３３２は、上面３３２１のみが外部に露出する状態で、後述するカバー部材３４内に配置される。
なお、突出部３３３において、Ｙ方向側に位置し、平面状に形成された上面３３３１には、後述する熱伝導部材５が接続される。
【００３５】
カバー部材３４は、それぞれ、合成樹脂により形成され、上記画像形成装置３１１、投射レンズ３１２及び熱伝導部材５と、上記突出部３３３を内部に収納する。そして、各カバー部材３４は、フレーム３３に固定されることにより、観察者ＵＳの頭部（側頭部におけるこめかみの部位）に応じた位置に配置される。
これらカバー部材３４は、それぞれ、観察者側に配置される第１カバー部材３４１と、観察者とは反対側に配置される第２カバー部材３４２と、を有する。そして、これら第１カバー部材３４１及び第２カバー部材３４２が、上記光学装置３１を挟むようにして組み合わされて、カバー部材３４は構成される。
【００３６】
［熱伝導部材の構成］
熱伝導部材５は、可撓性を有する矩形状のグラファイトシートにより構成され、画像形成装置３１１の熱をフレーム３３に伝導する。具体的に、熱伝導部材５は、カバー部材３４内において画像形成装置３１１とフレーム３３の突出部３３３とを熱伝導可能に接続する。詳述すると、熱伝導部材５の一端は、当該突出部３３３における上記上面３３３１に接続されている。また、熱伝導部材５の他端は、画像形成装置３１１の光源装置３１１１におけるＺ方向とは反対側の面ＳＦ及び固定部材３１１３に接続されている。このように、熱伝導部材５は、光源装置３１１１から出射された光の光路を遮らない位置に設けられている。
【００３７】
より詳述すると、熱伝導部材５は、画像形成装置３１１と熱伝導可能に面接触し、上記上面３３３１と熱伝導可能に面接触している。これにより、画像形成装置３１１（光源装置３１１１及び光変調装置３１１２）の熱が、熱伝導部材５を介して、フレーム３３に伝導される。具体的に、光源装置３１１１の熱は、熱伝導部材５に直接伝導され、更に、光変調装置３１１２の熱は、固定部材３１１３を介して熱伝導部材５に伝導される。そして、当該熱伝導部材５に伝導された熱は、突出部３３３を介してフレーム３３に伝導され、上記上面３３１１にて放熱される。
【００３８】
［第１実施形態の効果］
以上、説明した本実施形態に係る虚像表示装置１によれば、以下の効果を奏する。
熱伝導部材５がシート状に形成されているので、シールド線によって構成される熱伝導部材が採用される場合に比べて、画像形成装置３１１及びフレーム３３との接触面積を大きくすることができ、当該画像形成装置３１１からの熱をフレーム３３に効率よく伝導できる。そして、画像形成装置３１１の熱が伝導されたフレーム３３は、一部が外部に露出しているので、伝導された熱を外部に露出した部分にて放熱できる。従って、画像形成装置３１１を効果的に冷却できる。
また、シート状の熱伝導部材５を採用することにより、シールド線によって構成される熱伝導部材が採用される場合に比べて、当該熱伝導部材５の応力が画像形成装置３１１に加わりづらくすることができる。従って、画像形成装置３１１の位置がずれる可能性を低減でき、投射される画像がずれることを抑制できる。
【００３９】
光源装置３１１１と光変調装置３１１２とが固定部材３１１３により一体化されているので、これらのいずれかに熱伝導部材５が接続されていても、それぞれで発生した熱をフレーム３３に伝導できる。従って、光源装置３１１１及び光変調装置３１１２を効果的に冷却できる。
また、画像形成装置３１１を構成する光源装置３１１１及び光変調装置３１１２が固定部材３１１３により一体化されているので、光源装置３１１１及び光変調装置３１１２のいずれかに熱伝導部材５が接続されている場合に比べ、当該熱伝導部材の接続先の重量を大きくすることができる。これによれば、仮に熱伝導部材５の応力が画像形成装置３１１に加わったとしても、光源装置３１１１及び光変調装置３１１２の位置がずれる可能性を更に低減できる。これにより画像形成装置３１１から投射される画像がずれることを確実に抑制できる。
【００４０】
熱伝導部材５が画像形成装置３１１から出射された光の光路を遮らないことにより、形成される画像を確実に視認させることができる。この他、熱伝導部材５を上記光の光路を遮らない位置の全面に接続できるので、画像形成装置３１１と熱伝導部材５との接触面積を拡大でき、これにより、画像形成装置３１１の熱をより効率よくフレーム３３に伝導できる。従って、フレーム３３における外部に露出した中央部３３１から画像形成装置３１１の熱をより効率よく放熱できる。
【００４１】
導光部材３１３を保持するフレーム３３は、外部に露出しやすい他、観察者ＵＳの眼に応じて配置される導光部材３１３を保持することから、外表面の面積が比較的大きい部材である。このため、熱伝導部材５を介して伝導された画像形成装置３１１の熱を外表面の面積が比較的大きいフレーム３３から放熱させることができる。これにより、画像形成装置３１１の熱を更に効率よく放熱できる。
【００４２】
カバー部材３４内にて、熱伝導部材５により画像形成装置３１１とフレーム３３とが接続されるので、当該熱伝導部材５が外部に露出することがない。これによれば、熱伝導部材５と画像形成装置３１１及びフレーム３３との接触状態を確実に維持できる。従って、画像形成装置３１１からフレーム３３への熱伝導を確実に行うことができる。また、カバー部材３４内に位置する熱伝導部材５の移動が抑制されるので、画像形成装置３１１の位置ずれを確実に抑制できる。従って、画像形成装置３１１から伝導された熱がフレーム３３から放熱される。
【００４３】
［第２実施形態］
次に、本発明の第２実施形態について説明する。
本実施形態に係る虚像表示装置は、上記虚像表示装置１と同様の構成を備えるが、熱伝導部材５の接続先が異なる。すなわち、第１実施形態では、熱伝導部材５はフレーム３３に接続されることとしたが、本実施形態では、熱伝導部材５はカバー部材に接続される。また、カバー部材の形状及び材質も上記カバー部材３４と異なる。これらの点で、本実施形態に係る虚像表示装置と、上記虚像表示装置１とは相違する。なお、以下の説明では、既に説明した部分と同一又は略同一である部分については、同一の符号を付して説明を省略する。
【００４４】
図６は、本発明の第２実施形態に係る虚像表示装置１Ａが備える表示部３ＡにおけるＸ方向側の部位のＸＺ平面における断面図である。
本実施形態に係る虚像表示装置１Ａは、表示部３に代えて表示部３Ａを有する他は、上記虚像表示装置１と同様の構成及び機能を有する。また、表示部３Ａは、カバー部材３４に代えてカバー部材３５を有し、熱伝導部材５の接続先が異なる他は、上記表示部３と同様の構成及び機能を有する。
カバー部材３５は、フレーム３３とともに本発明の保持部材を構成し、図６に示すように、第１カバー部材３５１及び第２カバー部材３５２を有する。
【００４５】
第１カバー部材３５１は、観察者ＵＳ側に位置し、合成樹脂により構成されている。一方、第２カバー部材３５２は、観察者ＵＳとは反対側に位置し、第１カバー部材３５１より熱伝導率が高い合成樹脂（例えば、フィラー材等）により構成されている。すなわち、第１カバー部材３５１の熱伝導率は、第２カバー部材３５２の熱伝導率より低い。
また、第１カバー部材３５１において観察者ＵＳと対向する側部３５１１（観察者ＵＳ側の側部３５１１）の厚さ寸法は、第２カバー部材３５２において観察者ＵＳとは反対側の側部３５２１の厚さ寸法より大きく構成されている。これにより、例えば、第１カバー部材３５１及び第２カバー部材３５２のそれぞれに同量の熱が伝導されたとしても、観察者ＵＳ側に位置する第１カバー部材３５１の観察者ＵＳ側の面に伝導される熱量は、第２カバー部材３５２の観察者ＵＳとは反対側の面に伝導される熱量に比べて少なくなる。
【００４６】
図７は、当該表示部３Ａを構成する熱伝導部材５の配置を示す斜視図である。なお、図７においては、説明の都合上、カバー部材３５の図示を省略する。
熱伝導部材５は、画像形成装置３１１の熱を上記第２カバー部材３５２に伝導する。具体的に、熱伝導部材５は、図６及び図７に示すように、カバー部材３５内において、画像形成装置３１１（光源装置３１１１及び固定部材３１１３）と、第２カバー部材３５２の内面とに、熱伝導可能に接続される。
詳述すると、熱伝導部材５の一端、すなわち、Ｚ方向側の端部は、第２カバー部材３５２の側部３５２１における観察者ＵＳ側の面（内面）に面接触されている。また、熱伝導部材５の他端、すなわち、第２カバー部材３５２に接続された側とは反対側の端部は、画像形成装置３１１の光源装置３１１１及び固定部材３１１３のＺ方向とは反対側の面ＳＦに面接触されている。更に、熱伝導部材５は、固定部材３１１３の側面（観察者ＵＳ側とは反対側の側面）にも接続されている。すなわち、熱伝導部材５は、当該固定部材３１１３の側面との接触部位における反対側の部位にて、第２カバー部材３５２の内面に接続される。このように、熱伝導部材５は、本実施形態においても光源装置３１１１から出射された光の光路を遮らない位置に接続されている。
【００４７】
これにより、画像形成装置３１１（光源装置３１１１及び光変調装置３１１２）の熱が熱伝導部材５を介して、第２カバー部材３５２に効率よく伝導される。すなわち、光源装置３１１１の熱は、熱伝導部材５に直接伝導され、更に、光変調装置３１１２の熱は、固定部材３１１３を介して熱伝導部材５に伝導される。そして、当該熱伝導部材５に伝導された熱は、第２カバー部材３５２に伝導され、当該第２カバー部材３５２における観察者ＵＳ側とは反対側の面にて放熱される。
【００４８】
［第２実施形態の効果］
以上、説明した本実施形態に係る虚像表示装置１Ａによれば、第１実施形態における虚像表示装置１と同様の効果を奏する他、以下の効果を奏する。
熱伝導部材５の一端は、画像形成装置３１１及び投射レンズ３１２を内部に収納するカバー部材３５において、観察者ＵＳ側とは反対側の部位（第２カバー部材３５２）に接続される。これによれば、当該熱伝導部材５を介して、画像形成装置３１１の熱を、カバー部材３５における観察者ＵＳとは反対側の第２カバー部材３５２に伝導させることができる。従って、画像形成装置３１１の熱が、カバー部材３５における観察者ＵＳ側の部位（第１カバー部材３５１）に伝導されて、観察者ＵＳが当該熱を感じることを抑制できる。
【００４９】
カバー部材３５において、熱伝導部材５の上記一端側が接続される観察者ＵＳとは反対側の第２カバー部材３５２の熱伝導率は、観察者ＵＳ側の第１カバー部材３５１の熱伝導率より高い。これによれば、当該観察者ＵＳ側の第１カバー部材３５１に上記一端側が接続されて、画像形成装置３１１との熱が伝導される場合に比べ、当該熱を伝導させやすくすることができ、ひいては、当該熱を放出させやすくすることができる。従って、画像形成装置３１１を効果的に冷却できる。
また、観察者ＵＳ側の第１カバー部材３５１の熱伝導率が低いことにより、観察者ＵＳが画像形成装置３１１との熱を一層感じにくくすることができる。
【００５０】
カバー部材３５において観察者ＵＳ側の第１カバー部材３５１の側部３５１１の厚さ寸法が、観察者ＵＳとは反対側の第２カバー部材３５２の側部３５２１の厚さ寸法より大きいので、上記熱伝導率と同様に、観察者ＵＳが画像形成装置３１１の熱を一層感じにくくすることができる。
また、カバー部材３５において観察者ＵＳとは反対側の第２カバー部材３５２の側部３５２１の厚さ寸法が、観察者ＵＳ側の第１カバー部材３５１の側部３５１１の厚さ寸法より小さいので、当該観察者ＵＳとは反対側の第２カバー部材３５２の熱抵抗を小さくすることができる。これにより、熱伝導部材５を介して画像形成装置３１１からの熱を当該第２カバー部材３５２に伝導させやすくすることができ、ひいては、当該画像形成装置３１１の熱を外部に放出させやすくすることができる。従って、画像形成装置３１１をより効果的に冷却できる。
【００５１】
［第３実施形態］
次に、本発明の第３実施形態について説明する。
本実施形態に係る虚像表示装置は、上記第２実施形態の虚像表示装置１Ａと同様の構成を備える他、ヘッドバンド部２及びアーム部４を備えていない。すなわち、本実施形態では、ヘッドバンド部２及びアーム部４に代えて、保持部材としてのカバー部材３５に接続される装着部材を有する。この点で、本実施形態に係る虚像表示装置と、上記虚像表示装置１Ａとは相違する。なお、以下の説明では、既に説明した部分と同一又は略同一である部分については、同一の符号を付して説明を省略する。
【００５２】
図８は、本実施形態に係る虚像表示装置１Ｂを示す斜視図である。
本実施形態に係る虚像表示装置１Ｂは、表示部３Ａに代えて表示部３Ｂを有する他は、上記虚像表示装置１Ａと同様の構成及び機能を有する。また、表示部３Ｂは、フレーム３３に代えてフレーム３３Ａを有し、ヘッドバンド部２及びアーム部４に代えて装着部材３６を有する他は、上記表示部３Ａと同様の構成及び機能を有する。
フレーム３３Ａは、内部に収納スペースを有し、当該収納スペースに不図示の制御部及び通信部を備える。この不図示の通信部は、例えば、ＰＣ（personal computer）等の画像供給装置に接続され、画像情報を受信し、制御部に送信する。そして、不図示の制御部は、受信した画像情報に応じて表示部３Ｂを駆動させる。
【００５３】
装着部材３６は、カバー部材３５の導光部材３１３とは反対側の端部にヒンジ部３６１を介して接続される。この装着部材３６は、観察者ＵＳの頭部に沿う形状に形成されている。
また、ヒンジ部３６１は、第２カバー部材３５２よりも熱伝導率が低い部材（例えば、合成樹脂）等により構成される。このヒンジ部３６１は、観察者ＵＳ側に折れ曲がるように、第１カバー部材３５１に固定されている。このように、装着部材３６は、ヒンジ部３６１を介してカバー部材３５に接続されているので、当該ヒンジ部３６１の略中央部分にて観察者ＵＳ側に折れ曲がるので、当該装着部材３６を観察者ＵＳ側に折りたためるようになっている。
【００５４】
［第３実施形態の効果］
本実施形態に係る虚像表示装置１Ｂによれば、上記第２実施形態に係る虚像表示装置１Ａと同様の効果を奏する他、以下の効果を奏する。
熱伝導部材５が接続される第２カバー部材３５２とは反対側の第１カバー部材３５１にヒンジ部３６１が接続され、当該ヒンジ部３６１に装着部材３６が接続されるので、当該装着部材３６に画像形成装置３１１の熱を伝わりにくくすることができる。また、ヒンジ部３６１が第１カバー部材３５１と同じ合成樹脂により構成されているので、例えば、ヒンジ部３６１が第２カバー部材３５２と同じフィラー材により構成されている場合に比べて、第１カバー部材３５１からの熱を装着部材３６に伝わりにくくすることができる。
従って、画像形成装置３１１の熱が、観察者ＵＳに装着される装着部材３６に伝導されて観察者ＵＳが当該熱を感じることを抑制できる。
【００５５】
［実施形態の変形］
本発明は、上記実施形態に限定されるものではなく、本発明の目的を達成できる範囲での変形、改良等は本発明に含まれるものである。
上記各実施形態では、光源装置３１１１及び光変調装置３１１２は、固定部材３１１３により一体化されていた。しかしながら、本発明は、これに限らない。例えば、カバー部材３４，３５に固定される等して、固定部材３１１３を設けることなく、光源装置３１１１及び光変調装置３１１２が接着剤等を用いて一体化されていてもよい。一方、光源装置３１１１及び光変調装置３１１２は一体化されていなくてもよい。この場合、光源装置３１１１及び光変調装置３１１２のそれぞれに熱伝導部材５が熱伝導可能に接触する構成としてもよい。
【００５６】
上記各実施形態では、熱伝導部材５は、画像形成装置３１１に熱伝導可能に接続されることとした。この熱伝導部材５は、接続対象に熱伝導可能に接続されれば、当該熱伝導部材５の接続形式は問わない。例えば、熱伝導可能な接着剤によって、画像形成装置３１１等の接続対象に接続されてもよいし、熱伝導部材の中間部に熱伝導ペーストを介することにより当該接続対象に接続されてもよいし、熱伝導可能なピン等で固定されていてもよい。また、熱伝導部材５の端部を折り曲げたり、当該端部を円環状態にしたり、当該端部を矩形状にした状態で上記接続対象に接続されてもよい。要すれば、熱伝導部材５は、熱伝導可能に画像形成装置３１１と、フレーム３３及び第２カバー部材３５２のいずれかと、に接触していればよい。加えて、熱伝導部材５の端部を熱伝導可能な部材に接続し、当該部材を接続対象に接続するようにしてもよい。
【００５７】
上記第１実施形態では、熱伝導部材５は、画像形成装置３１１から出射された光の光路を遮らない位置である光源装置３１１１のＺ方向とは反対側の面ＳＦ（光出射側とは反対側の面ＳＦ）に接続されていた。また、上記第２及び第３実施形態では、熱伝導部材５は、当該反対側の面ＳＦと、画像形成装置３１１における観察者ＵＳとは反対側の側面に接続されていた。しかしながら、本発明は、これに限らない。すなわち、熱伝導部材５は、画像形成装置３１１と、少なくとも一部が外部に露出する部材とに熱伝導可能に接触して、画像形成装置３１１の熱を当該部材に伝導できればよい。このため、熱伝導部材５は、例えば、画像形成装置３１１におけるＹ方向側又はＹ方向とは反対側の側面に接続されていてもよい。そして、熱伝導部材５は、画像形成装置３１１を構成する光源装置３１１１、光変調装置３１１２及び固定部材３１１３の少なくともいずれかに接続されていればよく、固定部材３１１３のみに接続されていてもよい。
【００５８】
図９は、本発明の変形例に係る虚像表示装置を示す斜視図である。
上記第１及び第２実施形態では、ヘッドバンド部２は、観察者ＵＳの頭部とは反対側の面に放熱部材を設けることとしなかった。しかしながら、本発明は、これに限らない。例えば、ヘッドバンド部２の観察者ＵＳとは反対側の面に放熱部材２７を設け、当該放熱部材２７と上記画像形成装置３１１とを熱伝導部材５により接続することとしてもよい。
これによれば、画像形成装置３１１の熱がカバー部材３４，３５からアーム部４を介してヘッドバンド部２に伝導され、当該ヘッドバンド部２の観察者ＵＳの頭部とは反対側に設けられた放熱部材２７から上記熱を放熱できる。従って、画像形成装置３１１の熱が、ヘッドバンド部２における観察者ＵＳ側の部位に伝導されて、観察者ＵＳが当該熱を感じることを抑制できる。また、例えば、観察者ＵＳがヘルメット等を装着している場合には、観察者ＵＳが当該熱を感じることを確実に抑制できる。
【００５９】
更に、当該虚像表示装置において、ヘッドバンド部２の観察者ＵＳとは反対側の部材の熱伝導率を観察者ＵＳ側の部材の熱伝導率より高くしてもよい。これによれば、アーム部４から伝導された画像形成装置３１１の熱が当該観察者ＵＳに伝わることを抑制できる。この場合、放熱部材２７を設けなくてもよいし、設けてもよい。
また、放熱部材２７をアーム部４の観察者ＵＳとは反対側の面に設け、当該放熱部材２７と上記画像形成装置３１１に接続された熱伝導部材５を接続することとしてもよい。
【００６０】
上記第２及び第３実施形態では、熱伝導部材５が画像形成装置３１１の観察者ＵＳとは反対方向側の側面に接続され、かつ、当該接続された部分に対向する部分、すなわち、熱伝導部材５の観察者ＵＳとは反対方向側の面が第２カバー部材３５２の観察者ＵＳ側の面に面接触することとした。しかしながら、本発明は、これに限らない。例えば、熱伝導部材５が画像形成装置３１１の観察者ＵＳとは反対方向側の側面に接続しなくてもよい。これによれば、第２カバー部材３５２の側部３５２１の厚さをより小さくできるので、当該第２カバー部材３５２の熱抵抗を更に小さくできる。従って、画像形成装置３１１から熱伝導部材５を介して伝導された熱を、当該第２カバー部材３５２から更に効率よく放熱することができる。
【００６１】
上記第２及び第３実施形態では、カバー部材３５の第２カバー部材３５２の観察者ＵＳ側の面に熱伝導部材５が接続されることとした。しかしながら、本発明は、これに限らない。例えば、カバー部材３５の第２カバー部材３５２において、熱伝導部材５との接触部位に応じた位置に、伝導される熱を放熱可能な放熱部材（例えば金属板）を設けてもよい。
【００６２】
上記各実施形態では、熱伝導部材５は、可撓性を有する矩形状のグラファイトシートにより構成されることとした。しかしながら、これに限らず、熱伝導部材５は、例えば、可撓性を有さない１００Ｗ／ｍＫ以上の金属材料であってもよいし、フィラー材を含んだプラスチック材料であってもよい。また、熱伝導部材５は、矩形状でなくてもよい。
【００６３】
上記第２及び第３実施形態では、カバー部材３５の第１カバー部材３５１における側部３５１１（観察者ＵＳに対向する側部３５１１）の厚さ寸法は、第２カバー部材３５２における観察者ＵＳとは反対側の側部３５２１の厚さ寸法より大きいとした。しかしながら、本発明は、これに限らない。例えば、側部３５１１の厚さ寸法と、側部３５２１の厚さ寸法とが同じであってもよいし、上記側部３５１１の厚さ寸法が、上記側部３５２１の厚さ寸法より小さくてもよい。この際、側部３５１１の熱伝導率が、側部３５２１の熱伝導率より低くなるように、カバー部材３５を形成してもよい。
【００６４】
上記各実施形態では、表示部３は、左側光学装置３１Ｌと、右側光学装置３１Ｒとを備える構成を例示した。しかしながら、本発明はこれに限らない。すなわち、左側光学装置３１Ｌ及び右側光学装置３１Ｒうちの一方を備える構成を採用してもよい。この場合、表示部３を１つのアーム部４のみで支持する構成、例えば、左側光学装置３１Ｌを左側のアーム部４のみで支持する構成としてもよく、１対のアーム部４で支持する構成としてもよい。
【００６５】
上記第１及び第２実施形態では、ヘッドバンド部２との接続部位（回動軸部２５）を中心としてアーム部４を回動可能とする構成を例示した。しかしながら、本発明はこれに限らない。例えば、アーム部４が表示部３の位置を調整可能な可動部を備える構成を採用してもよい。
【００６６】
上記各実施形態では、導光部材３１３Ｌ，３１３Ｒは、それぞれフレーム３３に固定されることとした。しかしながら、本発明はこれに限らない。例えば、Ｘ方向に沿う回動軸を中心として、導光部材３１３Ｌ，３１３Ｒをそれぞれ独立して、或いは、連動して、観察者ＵＳとは反対側に回動可能に構成してもよい。この場合、当該回動軸を、導光部材３１３におけるＹ方向側又はＹ方向とは反対側に位置するように構成することにより、導光部材３１３を回動させて、観察者ＵＳの視方向から退避させることができる。
上記各実施形態では、制御部２３が、ヘッドバンド部２に設けられる構成を例示した。しかしながら、本発明はこれに限らない。例えば、制御部２３は、表示部３やアーム部４に設けられていてもよい。
【００６７】
上記第１及び第２実施形態では、観察者ＵＳによる各種入力操作を受け付ける不図示のコントローラーが接続され、当該コントローラーからの操作情報及び画像情報に応じて、制御部２３により虚像表示装置１，１Ａが制御されることとした。しかしながら、本発明はこれに限らない。
例えば、コントローラーが接続される構成において、虚像表示装置１，１Ａとコントローラーとのうちの一方が、観察者ＵＳの操作に応じた操作情報を取得する機能と、画像情報を取得して当該画像情報に応じて表示部３を駆動させる機能と、電力を供給する機能の少なくともいずれかを有し、他方が、残りの機能を有するように構成してもよい。また、虚像表示装置１，１Ａが、観察者のタップ操作等を認識するように構成してもよい。
【００６８】
また、虚像表示装置１，１Ａが、コントローラーを介してＰＣ等の画像供給装置に接続されてもよく、コントローラーを介さずに当該画像供給装置に直接接続されてもよい。このような構成において、虚像表示装置１，１Ａは、画像供給装置における画像表示部分として用いられ、虚像表示装置１の各種動作は、画像供給装置によって制御される構成としてもよい。なお、この場合、画像供給装置が、虚像表示装置１，１Ａを駆動させる電力を供給してもよい。
また、虚像表示装置１，１Ａ（例えば、ヘッドバンド部２や表示部３）にバッテリーや、画像処理装置等の制御装置が配置されてもよく、更に、メモリーカード等のスロットが設けられていてもよい。更に、虚像表示装置１，１Ａに、観察者ＵＳの操作を受け付ける操作部を設けてもよく、タップ操作を検出可能な構成を設けてもよい。すなわち、コントローラーは無くてもよい。
【００６９】
上記各実施形態では、光変調装置３１１２は、透過型の液晶パネルにより構成されるとした。しかしながら、本発明はこれに限らない。例えば、光変調装置３１１２は、反射型の液晶パネルにより構成されてもよく、ＭＥＭＳ（Micro Electro Mechanical System）ミラー等のマイクロミラーを用いたデバイスにより構成されていてもよい。
また、上記各実施形態では、導光部材３１３は、半透過層を備え、画像形成装置３１１から出射されて当該半透過層にて内面反射された画像光が眼に入射されることにより、観察者ＵＳが虚像を視認できる構成とした。しかしながら、本発明は、これに限らない。例えば、導光部材内の上記画像が内面反射する位置に反射層を設ける構成としてもよいし、画像形成装置３１１及び投射レンズ３１２を介して出力された画像が直接観察者ＵＳの眼に入射する構成であってもよい。すなわち、導光部材は、投射レンズ３１２から出力された画像光を観察者ＵＳの眼に導ければ、どのような構成であってもよい。
【００７０】
上記各実施形態では、画像表示装置として、シースルー型の虚像表示装置１，１Ａ，１Ｂを例示した。しかしながら、本発明はこれに限らない。すなわち、外界を観察できない非透過型の画像表示装置や、外界を撮像する撮像素子による撮像画像を表示するビデオシースルー型の画像表示装置に対しても、本発明を適用できる。
【００７１】
上記各実施形態では、観察者ＵＳに虚像として視認される画像を表示する虚像表示装置１，１Ａ，１Ｂを例示した。しかしながら、本発明はこれに限らない。例えば、観察者ＵＳに対して画像を視認させる装置であれば、本発明を適用可能である。例えば、観察者の両眼に応じた位置に、液晶パネルや有機ＥＬ（Electro-Luminescence）パネル等を備える構成を採用してもよい。
また、レーザー網膜投影型のＨＭＤに対して本発明を適用することも可能である。例えば、表示部３が、レーザー光源と、レーザー光源を使用者の眼に導く光学系とを備え、レーザー光を使用者の眼に入射させて網膜上を走査し、網膜に結像させることにより、使用者に画像を視認させるＨＭＤに、本発明を適用してもよい。
【符号の説明】
【００７２】
１，１Ａ，１Ｂ…虚像表示装置（画像表示装置）、２…ヘッドバンド部（装着部）、３，３Ａ，３Ｂ…表示部、４…アーム部（接続部）、５…熱伝導部材、２７…放熱部材、３１…光学装置（表示部）、３２…保持部材、３３…フレーム（保持部材）、３４，３５…カバー部材（保持部材）、３６…装着部材、３１１…画像形成装置、３１２…投射レンズ（投射光学装置）、３１３…導光部材、３１１１…光源装置、３１１２…光変調装置、３４１，３５１…第１カバー部材（保持部材）、３４２，３５２…第２カバー部材（保持部材）、ＵＳ…観察者。
【図１】
0006451302.tif 000002
【図２】
0006451302.tif 000003
【図３】
0006451302.tif 000004
【図４】
0006451302.tif 000005
【図５】
0006451302.tif 000006
【図６】
0006451302.tif 000007
【図７】
0006451302.tif 000008
【図８】
0006451302.tif 000009
【図９】
0006451302.tif 000010